(57)【要約】      （修正有）【課題】入庫する際に車両及び駐車予約表示装置に与える損傷を最小限に抑え、かつ不正駐車が行われた場合に代替車室を提供し、駐車場を有効に運用することが可能な駐車予約表示装置を提供する。【解決手段】車室が予約されているか否かを表示する表示部２と、車室に固定するための基部に回転可能に装着される支持部を回転させて表示部２を垂直起立姿勢と水平倒伏姿勢とに切換える駆動装置３と、表示部２が垂直起立姿勢と水平倒伏姿勢のいずれの姿勢にあるかを判別する制御装置４と、判別された姿勢が予約された姿勢にあるか否かを検出する検出装置５と、制御装置４と駐車場予約装置との間で情報のやり取りをする通信装置６とを有し、検出装置５は、表示部２が垂直起立姿勢のときに車両が表示部に接触して外力が加えられたことを検出する外力検出器１１を有している駐車予約表示装置１。【選択図】図１
2020122364.tif 000002
【特許請求の範囲】
【請求項１】
駐車場の任意の駐車区画に設置して前記駐車区画が予約されているか否かを表示する駐車予約表示装置であって、
前記駐車区画が予約されているか否かを表示する表示部と、
前記駐車区画に固定するための基部に対して回転可能に装着される支持部を回転させて前記支持部に保持されている前記表示部を垂直起立姿勢と水平倒伏姿勢とに切換える駆動装置と、
前記表示部が前記垂直起立姿勢と前記水平倒伏姿勢のいずれの姿勢にあるかを判別する制御装置と、
判別された姿勢が予約された姿勢にあるか否かを検出する検出装置と、
前記制御装置と前記駐車場予約装置との間で情報のやり取りをする通信装置と、
を有し、
前記検出装置は、前記表示部が垂直起立姿勢のときに車両が前記表示部に接触して外力が加えられたことを検出する外力検出器を有している、
ことを特徴とする駐車予約表示装置。
【請求項２】
請求項１に記載の駐車予約表示装置において、
前記駐車場は精算機を備えたコインパーキングであって、
前記精算機は予約機能を有しており、前記コインパーキングの駐車区画に配置されて予約された予定日時の前に前記表示部を垂直起立させるよう制御するものである、
ことを特徴とする駐車予約表示装置。
【請求項３】
請求項１に記載の駐車予約表示装置において、
前記駐車場は駐車料金の徴収をしない無料駐車場であって、
前記無料駐車場には、予約者が保持する携帯型遠隔操作端末との間で通信可能な予約管理装置が設置されており、
前記予約管理装置は、前記無料駐車場の駐車区画に配置されて前記携帯型遠隔操作端末を操作することによって前記表示部を垂直起立姿勢から水平倒伏姿勢に切換えるよう制御するものである、
ことを特徴とする駐車予約表示装置。
【請求項４】
請求項１に記載の駐車予約表示装置において、
前記表示部が垂直起立姿勢にあるときに、前記表示部の全部又は一部を発光させる表示部発光用投光器をさらに有している、
ことを特徴とする駐車予約表示装置。
【請求項５】
請求項１に記載の駐車予約表示装置において、
前記外力検出器が、前記表示部が垂直起立姿勢にあるときに車両進入側面から外力を受けて前記表示部が垂直起立姿勢を維持できなくなることを検出したときに、
前記駆動装置は、前記表示部を水平倒伏姿勢に自律的に移行させる機能を有する、
ことを特徴とする駐車予約表示装置。
【請求項６】
請求項１に記載の駐車予約表示装置において、
前記通信装置は、前記駆動装置の駆動状態及び前記検出装置が検出した結果に基づき前記表示部が前記水平倒伏姿勢又は前記垂直起立姿勢のいずれの姿勢にあるかを前記駐車場予約装置に通知するものである、
ことを特徴とする駐車場予約表示装置。
【請求項７】
請求項１に記載の駐車予約表示装置において、
前記表示部は、柔軟性を有する弾性体で形成されており、表面に印刷又は刻印が可能であり、光を反射、導光又は拡散させたりすることが可能な材料で形成されている、
ことを特徴とする駐車場予約表示装置。
【請求項８】
請求項１に記載の駐車場予約表示装置において、
前記表示部は、前記支持部に挿着される散光性を有する挿着部と、柔軟性及び弾性を有する光ファイバーで形成される発光部と、を有し、前記発光部の先端が前記挿着部に挿着されている、
ことを特徴とする駐車場予約表示装置。
【請求項９】
請求項１に記載の駐車予約表示装置において、
前記外力検出器は、前記表示部が前記表示部の回転方向以外の方向の外力を受けたことを検出する斜め検出機構を有している、
ことを特徴とする駐車予約表示装置。
【発明の詳細な説明】
【技術分野】
【０００１】
本発明は、駐車予約表示装置に関する。
【背景技術】
【０００２】
公共、私設又は個人の差がなく必要なときに必要な場所に駐車できる駐車場が渇望されている。例えば、病院などの公共施設の建物の入口に最も近い駐車区画は、身体障害者用や救急患者用として常に空き状態にしておくことが好ましい。個人の駐車場や月極駐車場でも同様に帰宅時には当然空き状態になっている。しかし、個人の駐車場や月極駐車場では外出している間は利用されずに時間帯によっては空きの駐車区画があっても有効に利用されていない場合がある。また、満車の駐車場がある反面、空きがある駐車場があり駐車場が必ずしも有効に使用されていない現状がある。特に、都市部においては駐車場不足の解消に至っていない。また、無断駐車などの迷惑行為も後を絶たない現状がある。
【０００３】
従来から、公共施設の駐車場などの不正使用防止、或いは駐車予約などに関する手段が提案されている。特許文献１には、特定予約者用駐車区画に設置され、この駐車区画の特定利用者以外による駐車行為を防止する迷惑駐車防止装置（駐車予約表示装置）が提案されている。この迷惑駐車防止装置は、入庫禁止位置（垂直起立姿勢）と入庫可能な位置（水平倒伏姿勢）とに回転可能な入庫阻止フラップを有し、不正駐車を防止しようとしている。
【０００４】
また、特許文献２には、駐車場の車室の地中に埋設される入出庫検知装置が提案されている。この入出庫検知装置は、予約管理装置から受信した予約の有無の情報に基づいて制御されるインジケータを有し、このインジケータは予約対象の車室について予約の有無を表示する駐車予約表示装置である。
【先行技術文献】
【特許文献】
【０００５】
【特許文献１】特開２０１３−２１３３３１号公報
【特許文献２】特開２０１８−１４６５６０号公報
【発明の概要】
【発明が解決しようとする課題】
【０００６】
特許文献１に記載の予約表示部である入庫阻止フラップは、フラップ部材と、フラップ部材を回転駆動する駆動手段とを有している。フラップ部材は、特定予約者専用であることを表示する表示部を有しており、表示部には車両が接触した際に弾性変形可能な柔軟材が使用されている。しかしながら、フラップ部材が柔軟材で構成されているとしても入庫阻止手段であることから、車両との接触時においてはフラップ材を変形させることがあることから車両及びフラップ部材双方の損傷は免れないという課題がある。また、フラップ部材は、前進或いは後退時において或いは駐車場の環境によって予約者から十分に視認できないことがあるという課題がある。このような入庫阻止フラップは回転によってフラップ部材を垂直起立させる構造であるから、十分視認可能な大きさを安価な構造で実現することは困難であり、フラップ部材を大きくすることは予約者に対して威圧感を与えると共に車両及びフラップ部材双方の損傷が免れないという解題もある。
【０００７】
特許文献２に記載の入出庫検知装置は、予約の有無を地中に埋設されたインジケータによって表示するものであって車両に接触することはないが、予約されていない車両の駐車を阻止する入庫阻止機能を充分に果たすことは困難である。
【０００８】
そこで、本発明は、このような課題を解決するためになされたもので、予約者に威圧感を与えずに視認性を高めながら、入庫する際に車両及び駐車予約表示装置に与える損傷を最小限に抑え、かつ不正駐車が行われた場合に不正駐車であることを検出して代替駐車区画を提供し、駐車場を空いたままにせず有効に運用することが可能な駐車予約表示装置を提供しようとするものである。
【課題を解決するための手段】
【０００９】
［１］本発明の駐車予約表示装置は、駐車場の任意の駐車区画に設置して前記駐車区画が予約されているか否かを表示する駐車予約表示装置であって、前記駐車区画が予約されているか否かを表示する表示部と、前記駐車区画に固定するための基部に対して回転可能に装着される支持部を回転させて前記支持部に保持されている前記表示部を垂直起立姿勢と水平倒伏姿勢とに切換える駆動装置と、前記表示部が前記垂直起立姿勢と前記水平倒伏姿勢のいずれの姿勢にあるかを判別する制御装置と、判別された姿勢が予約された姿勢にあるか否かを検出する検出装置と、前記制御装置と駐車場予約装置との間で情報のやり取りをする通信装置と、を有し、前記検出装置は、前記表示部が垂直起立姿勢のときに車両が前記表示部に接触して外力が加えられたことを検出する外力検出器を有していることを特徴とする。
【００１０】
本発明の駐車予約表示装置によれば、表示部を垂直起立させることによって駐車区画が予約されていることを表示し、表示部を水平倒伏させることによって駐車区画が予約されていないことを表示する。予約者は表示部が予約されていることを示す垂直起立状態から水平倒伏されることによって、予約された駐車区画が入庫可能になったことを認識できる。予約者が予約された駐車区画に到達したことを駐車場予約装置に通知すると、表示部は駆動装置よって垂直起立姿勢から水平倒伏姿勢に切り換わり駐車することが可能となる。一方、非予約者が垂直起立姿勢に係らず侵入（いわゆる不正駐車）して表示部に接触し、外力検出器が表示部に外力が加えられたことを検出すると一旦不正駐車とみなし、直ちに駆動装置は表示部を水平倒伏姿勢に切換える。駆動装置、制御装置及び検出装置の状態、すなわち表示部の状態に関する情報は通信装置を介して駐車場予約装置に通知される。不正駐車があった場合には、駐車場予約装置は予約可能な駐車区画を探索し、その駐車区画に設置された駐車予約表示装置の表示部を垂直起立させて予約済みの表示にすることが可能となる。
【００１１】
このようにすれば、予約者に威圧感を与えずに視認性を高めながら、入庫の際に車両並びに駐車予約表示装置に与える損傷を最小限に抑え、かつ不正駐車が行われた場合には不正駐車であることを検出して代替駐車区画を提供し、駐車区画を空いたままにせず有効に運用することが可能となる。
【００１２】
［２］本発明の駐車予約表示装置においては、前記駐車場は精算機を有しており、前記コインパーキングの駐車区画に配置されて前記精算機によって予約された予定日時の直前に前記表示部を垂直起立させるよう制御されるものである、ことが好ましい。
【００１３】
ここで、予約機能とは予約情報が入力された際に表示部を垂直起立させて駐車区画が予約されたことを表示する機能であり、精算機は精算機能及び通信機能を有する駐車場予約装置に相当する。このようにすれば、予約機能がない通常のコインパーキングに駐車予約表示装置を容易に設置することが可能となる。例えば、精算機が予約を受け付けると表示部を予約された予定日時の前に垂直起立させ、入庫直前に水平倒伏姿勢にして入庫可能な状態にする。そして駐車料金を精算して出庫したところで予約可能な状態にすることが可能となる。
【００１４】
［３］本発明の駐車予約表示装置においては、前記駐車場は駐車料金の徴収をしない無料駐車場であって、前記無料駐車場には、予約者が保持する携帯型遠隔操作端末との間で通信可能な予約管理装置が設置されており、前記予約管理装置は、前記無料駐車場の駐車区画に配置されて前記携帯型遠隔操作端末を操作することによって前記予約管理装置を介して前記表示部を垂直起立姿勢から水平倒伏姿勢に切換えるよう制御するものであることが好ましい。
【００１５】
駐車料金の徴収を主としない駐車場とは、公共施設や病院などの一般の人が使用することが可能な施設をさす。このような駐車場には駐車予約表示装置及び予約管理装置を容易に設置することが可能である。なお、予約管理装置は精算機能がない駐車場予約装置に相当する。携帯型遠隔操作端末としては、例えばリモコンなどがある。つまり、駐車場管理者が予約のあった駐車区画の表示部を垂直起立姿勢にしておき、予約管理装置に通信可能なリモコンを利用者に貸与する。予約者は、予約した駐車区画に到達したところでリモコンを操作して表示部を垂直起立姿勢から水平倒伏姿勢に切換えることによって入庫することが可能となる。利用者としては身体的に障害がある人や妊婦などが想定され、このような特定な人には施設の建物の入口に近い駐車区画を提供することが望まれ、駐車区画確保に効果がある。出庫した際には、予約があった場合には駐車場管理者の手によって垂直起立姿勢にする。前述したように、特定の人のために特定区画を常に確保しておく用途には、自動的に垂直起立姿勢にすることもできる。
【００１６】
［４］本発明の駐車予約表示装置においては、前記表示部が垂直起立姿勢にあるときに、前記表示部の全部又は一部を発光させる表示部発光用投光器をさらに有していることが好ましい。
【００１７】
表示部自体は照明装置を持たず、例えば導光機能や拡散機能を備える。表示部発光用投光器は、例えばＬＥＤライトなどである。表示部が垂直起立姿勢にあるときにおいては、表示部発光用投光器からの光を導光して表示部全体、表面又は文字などを発光させたり、点滅させたりすることで駐車場の環境に係らず視認性を高めることが可能となる。例えば、発光色を赤と白又は青と白などとすると色覚特性に差があっても認識しやすくなる。表示部自体は、照明手段を持たないことから配線などが不要であり、損傷したり、汚れたりした際に容易に交換することが可能となる。なお、表示部が水平倒伏姿勢のときには発光をやめる。
【００１８】
［５］本発明の駐車予約表示装置においては、前記外力検出器が、前記表示部が垂直起立姿勢にあるときに車両進入側面から外力を受けて前記表示部が垂直起立姿勢を維持できなくなることを検出したときに、前記駆動装置は、前記表示部を水平倒伏姿勢に自律的に移行させる機能を有することが好ましい。
【００１９】
表示部が垂直起立姿勢のときに車両が進入し、垂直起立姿勢を維持することが困難な外力を受けたときに、外力検出器はその情報を制御装置に入力する。制御装置は、駆動装置を制御して表示部を垂直起立姿勢から水平倒伏姿勢に切換える。このようにすれば、車両及び駐車予約表示装置双方の損傷を最小限に抑えることが可能となる。
【００２０】
［６］本発明の駐車予約表示装置においては、前記通信装置は、前記駆動装置の駆動状態及び前記検出装置が検出した結果に基づき前記表示部が前記水平倒伏姿勢又は前記垂直起立姿勢のいずれの姿勢にあるかを前記駐車場予約装置に通知するものであることが好ましい。
【００２１】
前述したように、駆動装置は表示部を垂直起立姿勢から水平倒伏姿勢、水平倒伏姿勢から垂直起立姿勢に駆動する。制御装置は垂直起立姿勢又は水平倒伏姿勢のいずれの姿勢にあるかを判別する。検出装置は表示部が予約された姿勢にあるか否か、或いは表示部が外力を受けたかを検出する。通信装置は、駆動装置の駆動状態、制御装置が判別した結果及び検出装置が検出した結果を駐車場予約装置に通知する。これにより表示部の姿勢を適切に制御することが可能となる。駐車場予約装置は、コインパーキングにおいては精算機に相当し、無料駐車場においては予約管理装置に相当する。
【００２２】
［７］本発明の駐車予約表示装置においては、前記表示部は、柔軟性を有する弾性体で形成されており、表面に印刷又は刻印が可能であり、光を反射、導光又は拡散させたりすることが可能な材料で形成されていることが好ましい。
【００２３】
このような表示部は樹脂製であって、例えば「予約済」などの文字或いは記号などを表示することが可能であり、文字や記号を発光さること、文字や記号の周囲を発光させること又は表示部の一部や全体を発光させることによって視認性をより高めることが可能となる。また、様々な色で発光することも可能である。
【００２４】
［８］本発明の駐車予約表示装置においては、前記表示部は、前記支持部に挿着される散光性を有する挿着部と、柔軟性及び弾性を有する光ファイバーで形成される発光部と、を有し、前記発光部の先端が前記挿着部に挿着されていることが好ましい。
【００２５】
柔軟性を有する光ファイバーは、曲線など自由な形状に形成することが可能であり、挿着部に照射された光を効率よく全体に発光させることが可能である。例えば赤、緑又は黄色の点滅でも十分認識することができる。また、光ファイバーは弾性を有しており、外力が加えられても弾性領域内であれば元の形状に復帰する。
【００２６】
［９］本発明の駐車予約表示装置においては、前記外力検出器は、前記前記表示部が車両進入側面に対して垂直方向以外の方向の外力を受けたことを検出する斜め検出機構を有していることが好ましい。
【００２７】
車両は切り返し運転しながら駐車区画内に進入する場合があり、表示部に対し斜め方向から外力が加えられることがある。一般的に、表示部の破損を防ぐために、バネやワンウェイ・クラッチなどで水平倒伏方向への動きを避けるような機構を設けることはあり得る。
しかし、そのような機構では表示部の偏った位置又は斜め方向から力が加わった場合にスラスト方向（回転軸の長手方向）の分力を防ぐのは難しい。そこで、偏った位置又は斜め方向から押される力つまりスラスト方向の分力を斜め検出機構で検出して、水平倒伏方向へ回転させることで表示部の破損を防止することが可能となる。斜め検出機構としては、例えば、機械的な２方向スイッチ、電気的な力センサ、光学的な非接触センサなどで表示部の斜め方向の偏倚を検出することが可能である。
【図面の簡単な説明】
【００２８】
【図１】駐車予約表示装置１の全体構成を示すブロック図である。
【図２】駐車予約表示装置１の１例を示す外観斜視図である。
【図３】予約機能がない一般的なコインパーキング１５の１例を示す説明図である。
【図４】一般的なコインパーキング１５に駐車予約表示装置１を適用した場合の１例を示す斜視図である。
【図５】公共施設などの無料駐車場２５の１例を示す説明図である。
【図６】公共施設などの無料駐車場２５に駐車予約表示装置１を適用した例を示す斜視図である。
【図７】図４に示したコインパーキング１５において車室１７を予約する方法を模式的に示す斜視図である。
【図８】図６に示した公共施設などの無料駐車場２５において車室１７の予約を解除する方法を模式的に示す斜視図である。
【図９】図６及び図７に示すコインパーキング１５において、予約した車室１７が不明な予約者がコインパーキング１５に到着し、予約した車室を駐車場予約システム７に問い合わせる例を示す説明図である。
【図１０】コインパーキング１５において、予約した車室１７がどれか分かっている場合に、予約者３０が駐車場予約システム７に到着したことを通知して入庫することを示す説明図である。
【図１１】コインパーキングにおいて、予約者３０が入庫を完了したことを示す説明図である。
【図１２】予約していない車両が駐車している車室２１に本来の予約者３０が到着し、精算機１６に通知する例を示す説明図である。
【図１３】車室２１の予約が解除され、予約者が代替予約された車室２２に入庫する例を示す説明図である。
【図１４】代替車室２２に予約者３０が駐車を完了した例を示す説明図である。
【図１５】リモコン２６で表示部２を水平倒伏させて入庫する例を示す説明図である。
【図１６】車両が接触して表示部が外力を受けた時とことを検出する状態を模式的に示す斜視図である。
【図１７】表示部２の垂直起立姿勢と水平倒伏姿勢及び外力を検出する機構並びに表示部２を発光させる例を模式的に示す斜視図である。
【図１８】表示部２と支持部３５との結合方法及び外力を検知する機構例を模式的に示す説明図である。
【図１９】表示部２が外力を受けていないときの例を模式的に示す斜視図である。
【図２０】表示部２が幅方向の中央又は左右均等に外力Ｆを受けたときの例を模式的に示す斜視図である。
【図２１】表示部２の車両進入側面２ａに対して偏った位置又は斜め方向から外力が加えられたときの表示部２の動きを模式的に説明する図である。
【図２２】表示部２が受ける外力の検出度合いを変更する場合の支持部３５を拡大して模式的に示す斜視図である。
【図２３】表示部２の垂直起立姿勢を維持する構造を模式的に示す断面図である。
【図２４】表示部２の支持部３５への挿着方法を示す断面図である。
【図２５】光ファイバーを使用した表示部２Ｆを示す斜視図である。
【図２６】駆動装置３の１例を示す平面図である。
【図２７】図２６の図示手前から見た駆動装置３を示す正面図である。
【発明を実施するための形態】
【００２９】
以下、本発明の実施の形態に係る駐車予約表示装置１について図１〜図２７を参照して説明する。
【００３０】
［駐車予約表示装置１の構成］
図１は、駐車予約表示装置１の全体構成を示すブロック図である。駐車予約表示装置１は、駐車場内において駐車区画（以降、場所を明確に表すため車室と記載する）が予約されているか否かを表示する表示部２と、表示部２を垂直起立姿勢と水平倒伏姿勢とに切換える駆動装置３と、表示部２が垂直起立姿勢又は水平倒伏姿勢のいずれの姿勢にあるかを判別する制御装置４と、判別された姿勢と表示部２が異なる姿勢にあるか否かを検出する検出装置５とを有している。駐車予約表示装置１は通信装置６を有しており、通信装置６は、外部の駐車場予約システム７と制御装置４との間の情報のやり取りを行う。駐車予約表示装置１は、表示部２を視認しやすくするための照明装置８を有している。
【００３１】
表示部２は、車室が予約された際に垂直起立姿勢となり車室が予約済みであることを表示し、予約されていないときには水平倒伏姿勢となるように制御装置３によって姿勢が制御される。駆動装置３は、制御装置４の命令に従ってモータ９を駆動する。モータ９は表示部２を所定の姿勢に切換える。制御装置３は、駐車予約表示装置１の全体の制御を行う装置であって、駆動装置３の駆動制御、照明装置８の発光制御、検出装置５の制御及び検出結果に基づき表示部２の姿勢を判断する機能及び通信装置６による駐車場予約システム７との間の情報のやり取りを制御する機能を有している。なお、検出装置５は、表示部２が垂直起立姿勢にあることを検知する垂直起立検出器１０と、表示部２に外力が加えられたことを検知する外力検出器１１とを有している。通信装置６と駐車場予約システム７との間の通信手段としては、専用有線回線やインターネット回線などがあり、例えば、携帯電話網、Wi-Fi、BlueTooth（登録商標）及び専用リモコンなどがある。
【００３２】
駐車場予約システム７は、駐車場の予約者３０との間で各種通信手段を使用して予約の申し込み及び予約情報などをやり取りする。予約者３０による予約方法としては、電話によるオペレータ経由での予約、電話によるプッシュ回線応答による予約或いはＰＣによるインターネット又はスマートフォンによるＷｅｂ経由の予約などがある。
【００３３】
図２は、駐車予約表示装置１の１例を示す外観斜視図である。駐車予約表示装置１は、基部１２をボルトなどの固定手段によって車室の地面に固定される。表示部２は、下方側端部が支持部３５（図１７参照）を介して基部１２に取り付けられている。図２に示す表示部２の状態を垂直起立姿勢、二点鎖線で示す状態を水平倒伏姿勢と記載する。水平倒伏姿勢のときには、表示部２は基部１２の上面側凹部１３内に格納される。詳しくは後述するが、表示部２は基部に対して容易に脱着可能な構成としていることから、図２に示すような板状部材をはじめ、折り曲げたパイプ部材など駐車場管理者の希望によって容易に交換することが可能となっている。
【００３４】
表示部２は、発泡樹脂、中空構造或いは導光機能を有する柔軟性を有する弾性体の樹脂などを用いることによって、車両が接触し、または、衝突した際の衝撃を最小限にすることができる。図２に示す例においては、表示部２の車両進入側表面２ａに「予約済」の文字が印刷又は刻印されている。但し、文字以外にマークや、外形形状などによって予約済みであることが視認できれば特に限定されない。また、表示部２は、発光又は点滅させることによって視認性をより高めることが可能となる。或いは、車両が接触した際に振動を伴うことによって予約者３０に告知するような形態とすることも可能である。
【００３５】
［駐車予約表示装置１の適用例］
図３は、予約機能がない一般的なコインパーキング１５の１例を示す図である。このようなコインパーキング１５は、駐車場の隅に配置される精算機１６と、駐車区画である車室１７の進行方向端部に配置されて車両の停止位置を規定する輪止め１８と、車両の下方となる位置に配置され車両の有無を検出する車両センサ１９と、不正出庫を防止するロック板２０とを有している。ここで、不正出庫とは精算をせずに出庫することをさす。一般的なコインパーキング１５の構成は周知であるから詳しい説明を省略する。このコインパーキング１５に駐車予約表示装置１を設置することについて図４を参照して説明する。
【００３６】
図４は、一般的なコインパーキング１５に駐車予約表示装置１を適用する１例を示す斜視図である。図３と同じ構成要素には図３と同じ符号を付している。駐車予約表示装置１は、車室１７にある２個の輪止め１８の中間位置の視認しやすい場所、かつ車両の入庫に支障がない位置に配置される。精算機１６には、駐車場予約システム１が備える予約機能（予約情報を駐車予約表示装置１に入力する機能）を付加している。従って、精算機１６はコインパーキング機能と車室予約機能とを有する駐車場予約装置となる。コインパーキング機能としては、車両の入庫及び出庫管理機能、精算機能並びにロック板制御機能を有する。精算機１６は、予約者３０からの予約を受け付け、空いている車室１７を選択すると共に予約情報を予約者３０に通知する。そして、予約された予定日時の直前に表示部２を垂直起立姿勢に切換える。
【００３７】
ロック板２０は、入庫（駐車）が完了した時点で、出庫を禁止する位置に駆動される。すなわち、駐車予約表示装置１を設置しても従来のコインパーキングと同様に使用でき、仮に電力がダウンした場合にはロック板２０は解除されて一般の駐車場として運営及び使用することが可能である。ロック板２０が既設の場合又は同時設置される場合においては、予約機能を追加できるようにするために、ロック板２０を精算機１６又は駐車予約表示装置１の子機として制御するようにすることが好ましい。
【００３８】
図５は、公共施設などの無料駐車場２５の１例を示す斜視図である。無料駐車場２５には、車室１７に輪止め１８のみが配置されており、誰でも自由に駐車することが可能となっている。しかしながら、公共施設や病院などにおいては身体に障害がある人、妊婦或いは高齢者などの特定の予約者には施設の建物の入口に最も近い駐車区画（車室）を提供することが求められる。そこで、このような個人の駐車場を含む無料駐車場２５に駐車場予約表示装置１を設置することについて図６を参照して説明する。
【００３９】
図６は、公共施設などの無料駐車場２５に駐車予約表示装置１を適用した例を示す斜視図である。駐車予約表示装置１は、車室１７（車室１７ａ，１７ｂ）にある２個の輪止め１８の中間位置の視認しやすい場所、かつ車両の入庫に支障がない位置に配置される。予約者３０（図７参照）には、駐車場管理者から携帯型遠隔操作端末としてのリモコン２６（図８参照）が貸与される。無料駐車場２５には、リモコン２６との間で予約情報や予約解除などの情報をやり取りする駐車場予約装置としての予約管理装置２７が配置される。定常的に利用する特定の人のためには常時予約状態としておくことが好ましい。複数の予約可能な車室１７が存在する場合には、必ずしも車室１７と予約者３０とを紐付する必要はない。例えば、図６に示すように二つの車室１７ａ、１７ｂがある場合においては、先に到着した予約者３０が車室１７ａ、１７ｂのいずれかを予約管理装置２７で設定することが可能である。
【００４０】
［駐車予約表示装置１の動作］
図７は、図４に示したコインパーキング１５において車室１７を予約する方法を模式的に示す斜視図である。図７においては、予約者３０が予約通信手段としてのスマートフォン３１を使用してクラウド環境の駐車予約システム７によって車室１７を予約する例を表している。まず、予約者３０は、スマートフォン３１から駐車場予約システム７にアクセスして目的の場所の近隣駐車場を探し、予約したい日時を指定して予約する。この際、予約できない駐車場はスマートフォン３１に表示されないので予約することができない。或いは、駐車場予約システム７からスマートフォン３１に駐車不可であることを返信することも可能である。駐車場予約システム７は、指定日時の直前に精算機１６を介して駐車予約表示装置１の表示部２を垂直起立させて予約が完了する。駐車場予約システム７は、表示部２が垂直起立したことを検知したことを検出装置５から精算機１６を介して通知されることで予約対象の車室１７が予約されたことを認識する。ロック板２０は車両が入庫可能な状態にある。
【００４１】
なお、既に予約予定の車室１７に駐車されており、指定日時までに出庫されていない場合には、駐車場予約システム７は同一駐車場内の空き車室を探索して駐車可能な車室１７を予約し、スマートフォン３１にその情報を送信する。同一駐車場内に空き車室がなく予約できない場合には、駐車場予約システム７は近隣の駐車場に空き車室があることを探索して予約し、そのことをスマートフォン３１に送信する。なお、予約通信手段としては、スマートフォン３１以外にパソコンやタブレット端末などを適用することが可能である。駐車場予約システム７と精算機１６との通信手段３２としては、有線（電話回線、データ専用線など）或いは無線（携帯電話網、Ｗｉ−Ｆｉなど）を適応することが可能である。
【００４２】
図８は、図６に示した公共施設などの無料駐車場２５において車室１７の予約を解除する方法を模式的に示す説明図である。図８は、予約者３０が予約通信手段としてのリモコン２６によって予約管理装置２７を介して車室１７の予約を解除する例を表している。予約者３０は、予め電話、スマートフォン又はインターネットなどで駐車したい車室１７を予約しておく。駐車予約表示装置１は、駐車場管理者が手動で表示部２を垂直起立させる。または、予約管理装置２７によって駐車予約表示装置１を駆動して表示部２を垂直起立させる。予約者３０は、駐車したい車室１７の直近まで来たときにリモコン２６を操作して表示部２を水平倒伏姿勢にし、予約した車室に入庫する。身体に障害がある人などの特定の予約者は、優先的に使用できる車室１７を定常的に予約状態としている場合においてもリモコン２６を操作して表示部２を水平倒伏姿勢に切換える。
【００４３】
図９は、図６及び図７に示すコインパーキング１５において、予約した車室１７が不明な予約者３０がコインパーキング１５に到着し、予約した車室を駐車場予約システム７に問い合わせる例を示す説明図である。予約者３０は、コインパーキング１５の入口や不特定の車室付近の空きスペースで駐車場予約システム７にスマートフォン３１で到着を知らせる。すると、駐車場予約システム７から予約された車室１７の番号がスマートフォン３１に通知される。
【００４４】
図１０は、コインパーキング１５において、予約した車室１７がどれか分かっている場合に、予約者３０が駐車場予約システム７に到着したことを通知することを示す説明図である。予約者３０は、予約した車室１７の直前に来たときにスマートフォン３１から駐車場予約システム７に到着したことを通知する。駐車場予約システム７は、精算機１６を介して駐車予約システム１の表示部２を水平倒伏姿勢に切換える。そのことによって、予約者３０は入庫が可能になったことを認識することができる。
【００４５】
図１１は、コインパーキング１５において、予約者３０が駐車（入庫）を完了したことを示す説明図である。入庫する直前には、表示部２は水平倒伏姿勢となっている。なお、入庫後は一般的なコインパーキングと同様に、車両センサ１９は、所定の位置で車両を検出し精算機１６に入力する。精算機１６からの指令によってロック板２０を上昇させて出庫を規制する。なお、ロック板２０がないロック板レス駐車場の場合には、センサやカメラなどで出庫を監視するようにしてもよい。出庫する際は、精算機１６において駐車料金の精算を行うとロック板２０が解除され出庫可能な状態となる。出庫が完了すると、車両センサ１９は車両が車室１７にないことを検出し、予約可能となったことを精算機１６を介して駐車場予約システム７に入力する。なお、精算機１６による駐車料金の精算に替えて、乗車したままでスマートフォン３１のキャッシュレス決済機能を使用して精算することやポイントを付与することなどが可能である。
【００４６】
図１２は、予約していない車両が駐車している車室２１に本来の予約者３０が到着し、精算機１６に通知する例を示す説明図である。なお、図１２はコインパーキング１５の例を表している。予約された車室が分かっていない場合には、予約者３０は、コインパーキング１５の入口や不特定の車室付近の空きスペースでスマートフォン３１から駐車場予約システム７に到着したことを知らせる。予約者３０が事前に予約車室を知らない（知らせないシステム）場合、不正駐車が確定した段階で、代替予約が可能な車室２２を駐車場予約システム７が自動的に代替予約するので、予約者は不正駐車を意識せず、あたかも当初から車室２２が予約されているが如く駐車することができる。予約者が事前に予約車室を知っている（固有の車室を予約するシステム）の場合、空いているはずの車室２１に既に非予約者２３が駐車しているので、予約者３０は駐車場予約システム７に確認のため車室を問い合わせることになる。 この問い合わせが、いわゆる不正駐車の通知となるが、駐車場予約システム７はすでに代替車室を確保しているため、敢えて不正というほど大事にならない。当然、このような状態は駐車場の予約システム上織り込み済みなので、不正駐車が確定した段階で予約者３０に予約車室が変更になったことを事前に通告するようなシステムにすることが利便上望ましい。すると、駐車場予約システム７から予約された車室２１の番号が通知される。この車室２１に非予約者２３が駐車していることを確認した予約者３０は、駐車場予約システム７にスマートフォン３１で不正駐車を通知する。すると、駐車場予約システム７は、別の代替用の車室２２を新たな予約車室として予約者３０に案内する。なお、同一駐車場に空き車室がない場合には、近隣の駐車場の空き車室を予約者に通知する。
【００４７】
代替車室及び代替駐車場の案内は、予約者３０からの通知によらず不正駐車が確定した段階で駐車場予約システム７によって自動的に行われる。 近隣の駐車場に予約が変更された場合は、予約者３０が当初の駐車場に到着する前に連絡される。連絡するタイミングは、当初予約された時刻つまり駐車が開始される時刻が事前に判っているので、それよりも早く実施される。なお、不正駐車した非予約者２３が予約時刻よりも早く出庫する場合や予約者が予約時刻に遅れている場合などがあるので、代替予約した車室２２は元通りに車室２１とすることも可能である。 また、AIなどを応用すれば、当初予約された駐車場と代替予約された近隣駐車場の距離や渋滞情報から計算して最適な時刻に予約者３０に通知することが可能となる。
【００４８】
図１３は、車室２１の予約が解除され、予約者が代替予約された車室２２に入庫する例を示す説明図である。なお、図１３はコインパーキング１５の例を表している。非予約者２３が入庫した車室２１においては、表示部２は水平倒伏姿勢となり、車両センサ１９によって車両が入庫したことが検知される。駐車予約表示装置１は、表示部２が垂直起立姿勢であるか水平倒伏姿勢であるかを判別しスマートフォン３１を介して予約者３０に代替用の車室２２を通知する。車室２２においては、予約者３０は表示部２が垂直起立状態から水平倒伏することによって駐車が可能であることを知ることができる。
【００４９】
図１４は、代替用の車室２２に予約者３０が駐車を完了した例を示す説明図である。予約者３０が入庫する直前には、表示部２は水平倒伏姿勢となっている。なお、入庫後は一般的なコインパーキングと同様に、表示部２は水平倒伏姿勢であり、入庫が完了すると車両センサ１９が車両を検出して精算機１６からの指令によってロック板２０を上昇させて出庫を規制する。出庫する際には、精算機１６において駐車料金の精算を行うとロック板２０が解除され出庫可能となる。出庫が完了すると、車両センサ１９は車両が車室２２にないことを検出し、予約可能な状態となったことを精算機１６を介して駐車場予約システム７に通知する。なお、非予約者２３においては、精算機１６で駐車料金を精算すると、ロック板２０が解除されて出庫することが可能となることは通常のコインパーキングと同様である。しかし、不正駐車したことによる追加料金などを別途要求することもできる。非予約者２３が出庫すると、車両センサ１９が出庫したことを検知して駐車予約表示装置１に通知し、駐車予約表示装置１はリセットされて車室２１は予約可能状態となる。
【００５０】
図１５は、リモコン２６で表示部２を水平倒伏させて入庫する例を示す説明図である。図１５に示す例は、公共施設などの無料駐車場２５に予約管理装置２７を設置した場合の入庫例を表している。予約者３０は、予め電話やインターネットなどで駐車したい車室１７を予約してある。予約管理者は、予約管理装置を直接操作或いは予約管理者専用のリモコンで表示部２を垂直起立させる。予約者３０は、駐車したい車室１７の直近まで到達したときにリモコン２６を操作して予約管理装置２７を介して表示部２を水平倒伏姿勢にする。予約者３０は、表示部２が水平倒伏姿勢になったことを確認して車室１７に入庫する。身体に障害がある人などのために優先的に使用できる車室１７を定常的に予約状態としている場合においてもリモコン２６を操作して表示部２を水平倒伏姿勢に切換えて入庫する。出庫する際には、リモコン２６によって出庫したことを予約管理装置２７に入力し、再予約可能な状態（垂直起立姿勢）に移行する。
【００５１】
図１６は、車両が接触して表示部２が外力を受けた時とことを検出する状態を模式的に示す斜視図である。車両が接触することによって表示部２は外力を受ける。表示部２は、このような外力によって図示するように傾く。図示は省略するが、表示部２は、根元部において支持部３５（図１７参照）を介して基部１２に対して回転可能に装着されている。詳しくは、図１７を参照して後述するが、支持部３５と表示部２との連結部には外力を検出するセンサが配置されている。センサは透過式光電センサ３７（図１７参照）であって、透過式光電センサ３７は、表示部２が垂直起立姿勢にときに光の透過を検出し、表示部２が傾いたときに遮光したことを検出する。つまり、遮光によって制御装置４は表示部２に外力が働いたことを検出する。外力が働いたことを検出すると、制御装置４は駆動装置３に表示部２を水平倒伏姿勢とするように駆動命令を入力し、表示部２は水平倒伏姿勢に切換えられる。
【００５２】
なお、透過式光電センサ３７としては、反射式光電センサ又は回帰式光電センサを使用可能であり、その他に、近接スイッチなどの非接触スイッチ或いは機械的スイッチなどの接触センサなども適用可能である。
【００５３】
図１７は、表示部２の垂直起立姿勢と水平倒伏姿勢、外力を検出する機構並びに表示部２を発光させる例を模式的に示す斜視図である。表示部２は、外力によって回転軸中心３６を軸として傾斜する。外力を検出する透過式光電センサ３７は、発光素子３８と受光素子３９とを有しており、センサ光軸４０は表示部２が倒れる方向に表示部２から離間して配置される。従って、外力が加えられていない垂直起立姿勢のときには、受光素子３９が発光素子３８からの光を検知することによって外力が加えられていないことを外力検出器１１（図１参照）によって検出する。表示部２に外力が加えられて傾斜するとセンサ光軸４０が表示部２によって遮られて遮光される。すると外力検出器１１は垂直起立姿勢を維持できない外力が加えられたと判断して、駆動装置３（図１参照）によって表示部２を水平倒伏姿勢に切換える。このようにすれば、車両及び駐車予約表示装置１双方に与える損傷を最小限に抑えることが可能となる。外力検出器１１は、透過式光電センサ３７によって光透過又は遮光を検出ものである。
【００５４】
なお、車両が切り返し運転しながら車室内に進入する場合があり、表示部２に対し斜め方向から外力が加えられることがある。そのような場合に備えて斜め検出機構を備えることが好ましい。図示は省略するが、斜め検出機構としては、例えば反射式光電センサ又は回帰式光電センサを使用が可能であり、その他に、近接スイッチなどの非接触スイッチ或いは機械的スイッチなどの接触センサなども適用可能である。斜め方向から押される外力、つまりスラスト方向の分力を斜め検出機構で検出して、モータ９によって水平倒伏方向へ回転させることで破損を防止することが可能となる。
【００５５】
表示部２の一方の側部端面側には、表示部発光用投光器４１が配置されている。表示部２が垂直起立姿勢にあるとき、表示部発光用投光器４１から出射される光は表示部２端面に照射され、表示部２の導光機能や拡散機能によって表示部全体又は一部が発光する。外力を受けて表示部２が傾斜すると、表示部発光用投光器４１の光軸４２が表示部２から外れる。従って、表示部２は、垂直起立姿勢のときに限って発光し予約者３０に予約された車室１７の場所を知らせる。なお、表示部発光用投光器４１は、表示部２の端面両側に配置してもよく、或いは発光色を変えたり点滅させたりして、より視認性を高めるようにすることも可能である。また、表示部２の周囲にパイプ状又は棒状の導光体を配置して表示部発光用投光器４１から光を入射してこれらを発光させてもよい。
【００５６】
図１８は、表示部２と支持部３５との結合方法及び外力を検知する機構例を模式的に示す説明図である。表示部２は、図示下方側に示す挿着部５５の下方先端部が略半円形の凸部４３と、車両進入側面２ａに対して裏面２ｂ側に設けられ円錐形に穿設されたバネ嵌合部４４（詳しくは図２２参照）とを有している。凸部４３の半円形の中心を中心軸４３ａとする。挿着部５５は支持部の空間４９に挿入される。一方、支持部３５には、バネ嵌合部４４に対向する位置に表示部固定バネ４５，４５が配置され、表示部２の凸部４３が嵌合するための図示下方側に突設された略半円形の凹部４６と、センサ光軸４０が通る透光孔４７と、表示部発光用投光器４１から出射された光が通過する投光用孔４８とが形成されている。表示部２は、根元部が支持部３５の空間４９内に挿入され、凸部４３が凹部４６に嵌合する。凸部の半円形の中心を中心軸４６ａとする。
【００５７】
図１９は、表示部２が外力を受けていないときの例を示す斜視図である。表示部２が垂直起立姿勢のときには、表示部２の凸部４３が支持部３５の凹部４６に嵌合し、表示部固定バネ４５によって押圧されて緩やかな弾性結合となっている。すなわち、表示部２の上方側に車両進入側表面２ａ側から外力を加えれば表示部２が軸５０回りに容易に傾斜する構成となっている。軸５０は、表示部２を支持部３５に装着したときに表示部２の凸部４３が滑ることで、あたかも回転軸中心となる。表示部２が垂直起立姿勢にあるとき、センサ光軸４０は表示部２の裏面２ｂから離間した位置にあり、外力検出器１１は表示部２に外力が加えられていないと判定する。表示部発光用投光器４１の光軸４２は表示部２の側部端面に向かって表示部２に光を照射する。表示部固定バネ４５は表示部２の直立起立姿勢を維持する。
【００５８】
図２０は、表示部２が幅方向の中央又は左右均等に外力Ｆを受けたときの例を模式的に示す斜視図である。表示部２が車両進入側面２ａの中央部又は車両進入方向に対して左右均等に外力Ｆを受けると２本の表示部固定バネ４５は左右がほぼ均等に撓み、表示部２は軸５０を中心に図示矢印方向に傾倒する。センサ光軸４０は表示部２によって遮られ、外力検出器１１は表示部２に外力Ｆが加えられたことを検知し、制御装置４を介して駆動装置３（図１参照）を駆動し表示部２を水平倒伏姿勢に切換える。表示部発光用投光器４１の光軸４２は、表示部２の側部端面の範囲にあることから明るさは減少するものの発光する。なお、駆動装置３が駆動開始する前に外力Ｆが解除されると、表示部２は表示部固定バネ４５の弾性力で垂直起立姿勢に復帰する。なお、表示部２に加わる外力は、幅方向の中央又は左右均等に限らない。そのことについて図２１を参照して説明する。
【００５９】
図２１は、表示部２の車両進入側面２ａに対して偏った位置又は斜め方向から外力Ｆが加えられたときの表示部２の動きを模式的に説明する図である。図２１（ａ）は、表示部２に加えられる外力の方向及び位置の１例を示す図であり、上段の図は上方から見た平面図、下段の図は車両進入側面２ａ側から見た正面図である。図２１（ａ）は、車両進入側面２ａの図示右方側に外力Ｆが加えられる場合を例示している。外力Ｆには、車両進入側面２ａに対して左右斜め方向からの外力も含まれる。表示部２に外力Ｆが加えられると、図２１（ｂ）は、外力Ｆが加えられたときの表示部の動きを示す図であり、上段の図は上方から見た平面図、下段の図は車両進入側面２ａ側から見た正面図である。外力Ｆが加えられると、主として右側の表示部固定バネ４５が圧縮され、反時計回りに回転する。この動きに伴い、表示部２は、表示部２の凸部４３の右側が接線５１又は直線５２（図２２参照）に乗り上げながら支持部３５の左方側の縁を回転中心として反時計回りに傾倒する。この際、バネ嵌合部４４は表示部固定バネ４５，４５から逸脱する。表示部固定バネ４５，４５については図２３を参照して説明する。図２１（ｂ）に示すように、上方から見て、表示部２の裏面２ｂがセンサ光軸４０を遮ると外力Ｆを受けたことを光式光電センサ３７が検出する。なお、表示部２は柔軟性を有していることから、外力Ｆが加えられた際に撓みながら回転及び傾倒する。なお、詳しい説明は省略するが、表示部２は、表示部２の左方側から外力Ｆが加えられた時も回転方向及び傾倒方向が異なるものの右方側と同様に回転及び傾倒する。
【００６０】
図２２は、表示部２が受ける外力の検出度合いを変更する場合の支持部３５を拡大して模式的に示す斜視図である。なお、図２１は、表示部２の凸部４３の形状を一定としたときの１例を表している。支持部３５の凸部４３と支持部３５の凹部４６とを嵌合させたときの接触面積が外力の度合いを左右する。図２１に示すように、凹部４６の円弧の接線５１を延長した形状にすれば、凸部４３の接触面積は小さくなり表示部２は弱い外力で傾斜する。凹部の円弧範囲を拡げるような直線５２で円弧と交差する形状にすれば接触面積が大きくなり表示部２は接線５１で形成した場合よりも強い外力で傾斜するようになる。表示部２を傾斜させる外力の強弱を調整する方法としては、例えば、図２１に示す接線５１を有する形状をベースにして塗りつぶし形状のスペーサー５３を付加したり、或いは表示部２を部分的に支える形状にしたり、微細な凹凸で結合する局所的な支持部を設けたりすることが可能である。或いは、摩擦係数が異なるシートを凸部４３と凹部４６との間に介在させたりすることによって摩擦力を増減することでも外力の検出度合い、すなわち、垂直起立姿勢から水平倒伏姿勢への切りかる際に検出する外力の大きさを変更することができる。
【００６１】
図２３は、表示部２の垂直起立姿勢を維持する構造を模式的に示す断面図である。表示部２は、支持部３５の空間４９内に挿入され、表示部２の凸部４３が支持部３５の凹部４６に嵌合する。表示部２は、表示部固定バネ４５によって支持部３５の車両進入側表面２ａ側の側壁部３５ａに押圧されて垂直起立姿勢となる。表示部固定バネ４５は、支持部３５の裏面２ｂ側の側壁部３５ｂに尾部側が挿着されている。表示部固定バネ４５の先端部４５ａは、バネ嵌合部４４の円錐形状に倣った円錐形状を有しておりバネ嵌合部４４に嵌合する。従って、表示部２は支持部３５に表示部固定バネ４５，４５によって上下左右方向の位置が規定される。但し、表示部２は、支持部３５に挿し込まれているだけであるから、支持部３５に装着したり抜き出したりすることを容易に行うことができる。車両進入側表面２ａに外力が加えられた際には、表示部固定バネ４５が撓み、外力検出器１１が検出する位置まで傾斜することができる。
【００６２】
車両の進入方向と、表示部２が垂直起立姿勢から水平倒伏姿勢になる方向及び支持部３５に対する着脱方向とは一致している。表示部２が車両から外力Ｆを受けると表示部２は水平倒伏し始め、さらに外力Ｆを受け続けるとさらに傾倒し、表示部２は外力が加わる速度によっては、表示部固定ばね４５，４５の押圧力を超えて支持部３５から抜け落ちて損傷を免れることが可能となる。表示部固定バネ４５，４５の先端部４５ａは、バネ嵌合部４４の円錐形状に倣った円錐形状を有していることから想定以上の外力Ｆが加えられた場合には嵌合が外れる。また、表示部２を差し込むだけで機能回復が可能となる。なお、表示部固定バネ４５，４５は、ラジアル方向及びスラスト方向の両方向の力に耐え、大きな外力Ｆが加えられたときに表示部２が支持部３５から外れることができるように疎巻構成としている。また、支持部３５の空間４９の幅は表示部２の幅より長くなっており、左右方向（表示部２の幅方向）に隙間があることから、表示部固定バネ４５，４５の円錐形状の先端で表示部２の支持部３５に対する位置決めが可能となる。
【００６３】
図２４は、表示部２の支持部３５への挿着方法を示す断面図である。まず、図２４（ａ）に示すように、Ｌ字型の挿入治具５４を表示部固定バネ４５，４５と支持部３５の側壁部３５ａとの間に上方から挿し込む。続いて、図２４（ｂ）に示すように、挿入治具５４を右方向に移動して表示部固定バネ４５，４５を撓ませ、挿入治具５４と側壁部３５ａとの間に表示部２を挿し込み、挿入治具５４を上方に抜き出す。挿入治具５４を抜き出した後に、表示部２のバネ嵌合部４４に表示部固定バネ４５，４５の先端部４５ａを嵌合させると、図２２に示すような状態に表示部２を支持部３５に挿着することができる。
【００６４】
なお、図２〜図２３においては板状の表示部２を例示して説明したが、光ファイバーを使用した表示部２Ｆを採用することが可能であり、このような表示部２Ｆの構成について図２５を参照して説明する。
【００６５】
図２５は、光ファイバーを使用した表示部２Ｆを示す斜視図である。表示部２Ｆは、散光性を有する挿着部５５とケーブル状の発光部５６とから構成されている。図２５に示す例においては、発光部５６は略Ｕ字形状をしているが、この形状は任意に形成することが可能である。発光部５６のＵ字形状の両先端部が挿着部５５に挿着される。挿着部５５は、板状の表示部２の挿着部５５（図１８参照）に相当し、支持部３５に挿着される。光ファイバーとしては、例えば、コアが透明アクリル樹脂、クラッドが透光性を有するフッ素系樹脂で形成され柔軟性を有しているものが適している。なお、発光部５６に予約済の表示板５７を取り付けることも可能である。
【００６６】
光ファイバーは、曲線など自由な形状に形成することが可能で、挿着部５５に照射された光を効率よく全体に発光させることが可能であり、例えば赤、緑又は黄色の点滅でも十分認識することができる。表示部２Ｆ自体は、表示部２と同様に照明手段を持たないことから配線などが不要であり、損傷したり、汚れたりした際に容易に交換することが可能となる。また、図２５に示す形状例においては、発光部５６に囲まれた空間が広いため柔軟性を有していても十分な耐風性を有している。さらに、発光部５６を棒状にして発光端面を車両進入方向に向けても認識可能であり、棒状発光部を複数配列することも可能である。また、表示部２Ｆにおいても、板状の表示部２と挿着部５５の構造が同じであるから、図２１で説明した外力Ｆの検出構造を適応することが可能である。
【００６７】
図２６は、駆動装置３の１例を示す平面図であり、図２７は、図２６の図示手前から見た駆動装置３を示す正面図である。駆動装置１は、表示部２を回転する回転軸６０と駆動源であるギヤードモータ６１との間を複数のギヤとギヤ間を連結する回転リンク及びリンクで構成されている。ギヤードモータ６１の回転は第１ギヤ６２、第２ギヤ６３、第３ギヤ６４に伝達される。第３ギヤ６４の回転は、第１回転リンク６５を経て第１リンク６６で往復運動に変換する。第１リンク６６の往復運動は、第２回転リンク６７、第２リンク６８を介して第３回転リンク６９に伝達され、回転軸６０を回転させる。支持部３５は回転軸６０に軸止されていることからギヤードモータ６１の回転方向を切換えることによって、表示部２を垂直起立姿勢から水平倒伏姿勢に、水平倒伏姿勢から垂直起立姿勢に回転することが可能となっている。
【００６８】
なお、図２４で示す駆動装置３は１例であって、例えば、ギヤードモータ６１によって回転軸６０を直接回転してもよく、平歯車とウオームギヤを介して回転軸６０を回転させるようにしてもよい。
【００６９】
以上説明した駐車予約表示装置１は、駐車区画である車室１７が予約されているか否かを表示する表示部２と、駐車区画である車室１７に固定するための基部１２に対して回転可能に装着される支持部３５を回転させて支持部３５に保持されている表示部２を垂直起立姿勢と水平倒伏姿勢とに切換える駆動装置３と、表示部２が垂直起立姿勢と水平倒伏姿勢のいずれの姿勢にあるかを判別する制御装置４と、判別された姿勢が予約された姿勢にあるか否かを検出する検出装置５と、制御装置４と駐車場予約装置である精算機１６（コインパーキング１５に設置）又は予約管理装置２７（無料駐車場２５に設置）との間で情報のやり取りをする通信装置６とを有している。検出装置５は、表示部２が垂直起立姿勢のときに車両が表示部２に接触して外力を加えたことを検出する外力検出器１１を有している。
【００７０】
駐車予約表示装置１は、表示部２を垂直起立させることによって車室１７が予約されていることを表示し、表示部２を水平倒伏させることによって車室１７が予約されていないことを表示する。予約者３０は表示部２が予約されたことを示す垂直起立状態から水平倒伏されたことによって予約された駐車区画が入庫可能になったことを認識できる。予約者３０が予約された車室１７に到達したことを駐車場予約装置である精算機１６又は予約管理装置２７に通知すると、表示部２は駆動装置３よって垂直起立姿勢から水平倒伏姿勢に切り換わり駐車することが可能となる。一方、非予約者２３が垂直起立姿勢に係らず侵入（不正駐車）して表示部２に接触し、外力検出器１１が表示部２に外力が加えられたことを検出すると一旦不正駐車とみなし、直ちに駆動装置３は表示部２を水平倒伏姿勢に切換える。駆動装置３、制御装置４及び検出装置５の状態、すなわち表示部２の状態に関する情報は通信装置６を介して精算機１６又は予約管理装置２７に通知される。不正駐車があった場合には、予約可能な駐車区画を探索し、その車室１７に設置された駐車予約表示装置１の表示部２を垂直起立させて予約済みの表示にすることが可能となる。なお、一旦は不正駐車として扱われた駐車区画が駐車場予約システム７からの問い合わせで予約者であれば不正駐車として扱われない。
【００７１】
このようにすれば、威圧感を与えずに視認性を高めながら、入庫の際に車両並びに駐車予約表示装置１に与える損傷を最小限に抑え、不正駐車が行われた場合には不正駐車であることを検出して代替駐車区画を提供し、駐車区画を空いたままにせず有効に運用することが可能となる。
【００７２】
駐車場が精算機１６を備えたコインパーキング１６の場合においては、精算機１６は予約機能を有しており、コインパーキング１６の駐車区画１５に配置されて精算機１６によって予約された予定日時の直前に前記表示部を垂直起立させるよう制御される。このようにすれば、予約機能がない通常のコインパーキング１６に駐車予約表示装置１を容易に設置することが可能となる。予約機能が付加された精算機１６が予約を受け付けると表示部２を予約された予定日時の直前に垂直起立させ、入庫直前に水平倒伏姿勢にして入庫可能な状態にする。そして駐車料金を精算して出庫したところで予約可能な状態にすることが可能となる。
【００７３】
駐車場は駐車料金の徴収をしない無料駐車場であって、無料駐車場２５には、予約者３０が保持する携帯型遠隔操作端末であるリモコン２６との間で通信可能な予約管理装置２７が設置されている。予約管理装置２７は、無料駐車場２５の駐車区画である車室１７に配置されてリモコン２６を操作することによって表示部２を垂直起立姿勢から水平倒伏姿勢に切換えるよう制御される。
【００７４】
駐車場管理者が予約のあった車室１７の表示部２を垂直起立姿勢にしておき、予約管理装置２７に通信可能なリモコンを利用者に貸与する。予約者３０は、予約した車室１７に到達したところでリモコン２６を操作して表示部２を垂直起立姿勢から水平倒伏姿勢に切換えることによって入庫することが可能となる。利用者としては身体的に障害がある人や妊婦などが想定され、このような特定な人には施設の建物の入口に近い車室を提供することが望まれ車室確保に効果がある。出庫した際には、リモコン２６を操作して表示部２を予約可能な水平倒伏姿勢にすることが可能である。前述したような特定な人のための特定区画の予約においては、自動的に又は管理者の手によって垂直起立姿勢にすることが望ましい。
【００７５】
駐車予約表示装置１は、表示部２が垂直起立姿勢にあるときに、表示部２の全部又は一部を発光させる表示部発光用投光器４１をさらに有している。表示部２自体は、照明装置を持たずに導光機能や拡散機能などを備えている。表示部２が垂直起立姿勢にあるときにおいては、表示部発光用投光器４１からの光を導光して表示部全体、表面又は文字などを発光させたり、点滅させたりすることで駐車場の環境に係らず視認性を一層高めることが可能となる。例えば、発光色を赤と白又は青と白などとすると色覚特性に差があっても認識しやすくなる。表示部２自体は、照明手段を持たないことから配線などが不要であり、損傷したり、汚れたりした際に容易に交換することが可能となる。
【００７６】
また、外力検出器１１は、表示部２が垂直起立姿勢にあるときに、車両進入側面２ａから外力を受けて表示部２が垂直起立姿勢を維持できなくなることを検出したときに、駆動装置３は、表示部２を水平倒伏姿勢に自律的に移行させる機能を有している。表示部２が垂直起立姿勢のときに車両が進入し、垂直起立姿勢を維持することが困難な外力を受けたときに、外力検出器１１はその情報を制御装置４に入力する。制御装置４は、駆動装置３を制御して表示部２を垂直起立姿勢から水平倒伏姿勢に切換える。このようにすれば、車両及び駐車予約表示装置双方の損傷を最小限に抑えることが可能となる。表示部２は、柔軟性を有する弾性体で形成されているから、損傷を抑えることはもとより、外力が加わる速度が水平倒伏状態に切り替わる速度よりも早くても時間に余裕を持つことができ、より一層損傷を抑えることが可能となる。
【００７７】
また、通信装置６は、駆動装置３の駆動状態及び検出装置５が検出した結果に基づき表示部２が水平倒伏姿勢又は垂直起立姿勢のいずれの姿勢にあるかを駐車場予約装置である精算機１６又は予約管理装置２７に通知する。
【００７８】
駆動装置３は表示部２を垂直起立姿勢から水平倒伏姿勢、水平倒伏姿勢から垂直起立姿勢に駆動する。制御装置４は垂直起立姿勢又は水平倒伏姿勢のいずれの姿勢にあるかを判別する。検出装置５は表示部２が予約された姿勢にあるか否か、或いは表示部２が外力を受けたかを検出する。通信装置６は、駆動装置３の駆動状態、制御装置４が判別した結果及び検出装置５が判断した結果を精算機１６又は予約管理装置２７に通知することに２よって表示部の姿勢を適切に制御することが可能となる。
【００７９】
また、表示部２は、柔軟性を有する弾性体で形成されており、表面に印刷又は刻印が可能であり、光を反射、導光又は拡散させたりすることが可能な材料で形成されている。
【００８０】
表示部２は樹脂製であって、例えば「予約済」などの文字或いは記号などで予約済みであることを表示することが可能であり、文字や記号を発光さること、文字や記号の周囲を発光させること又は表示部の一部や全体を発光させることによって視認性をより一層高めることが可能となる。また、このように構成される表示部２は、予約者３０に対して威圧感を与えず安心して入庫することができる。
【００８１】
また、表示部２Ｆは、支持部３５に挿着される散光性を有する挿着部５５と、柔軟性及び弾性を有する光ファイバーで形成される発光部５６とを有し、発光部５６の先端が前記挿着部５５に挿着されている。光ファイバーは、曲線など自由な形状に形成することが可能であり、挿着部５５に照射された光を効率よく全体に発光させることが可能であり、例えば、赤、緑又は黄色の点滅でも十分認識することができる。表示部２Ｆ自体は、照明手段を持たないことから配線などが不要であり、損傷したり、汚れたりした際に容易に交換することが可能となる。また、図２５に示す形状例においては、発光部５６に囲まれた空間が広いため柔軟性を有していても十分な耐風性を有している。さらに、板状の表示部２よりも柔軟性があるため、車両や駐車予約表示装置１の損傷を免れるという効果がある。
【００８２】
また、外力検出器１１は、表示部２が車両進入側面２ａに対して垂直方向以外の方向の外力を受けたことを検出する斜め検出機構（図示は省略）を有している。車両は切り返し運転しながら車室内に進入する場合があり、表示部２に対し斜め方向から外力が加えられることがある。そのような場合に斜め検出機構を備えることによって、斜め方向からの外力を検出し、モータ９によって表示部２を水平倒伏方向へ回転させることで破損を防止することが可能となる。
【符号の説明】
【００８３】
１…駐車予約表示装置、２，２Ｆ…表示部、２ａ…車両進入側面、３…駆動装置、４…制御装置、５…検出装置、６…通信装置、７…駐車場予約システム、１１…外力検出器、１２…基部、１５…コインパーキング（駐車場）、１６…精算機（駐車場予約装置）、１７，１７ａ，１７ｂ，２１，２２…車室（駐車区画）、２３…非予約者、２５…無料駐車場（駐車場）、２６…リモコン（携帯型遠隔操作端末）、２７…予約管理装置（駐車場予約装置）、３０…予約者、３５…支持部、４０…センサ光軸、４１…表示部発光用投光器、５５…装着部、５６…発光部、５７…表示板、Ｆ…外力
【図１】
2020122364.tif 000003
【図２】
2020122364.tif 000004
【図３】
2020122364.tif 000005
【図４】
2020122364.tif 000006
【図５】
2020122364.tif 000007
【図６】
2020122364.tif 000008
【図７】
2020122364.tif 000009
【図８】
2020122364.tif 000010
【図９】
2020122364.tif 000011
【図１０】
2020122364.tif 000012
【図１１】
2020122364.tif 000013
【図１２】
2020122364.tif 000014
【図１３】
2020122364.tif 000015
【図１４】
2020122364.tif 000016
【図１５】
2020122364.tif 000017
【図１６】
2020122364.tif 000018
【図１７】
2020122364.tif 000019
【図１８】
2020122364.tif 000020
【図１９】
2020122364.tif 000021
【図２０】
2020122364.tif 000022
【図２１】
2020122364.tif 000023
【図２２】
2020122364.tif 000024
【図２３】
2020122364.tif 000025
【図２４】
2020122364.tif 000026
【図２５】
2020122364.tif 000027
【図２６】
2020122364.tif 000028
【図２７】
2020122364.tif 000029